(57)【要約】      （修正有）【課題】反発圧痛を気にせずに、使用者の運動能力に合わせて、生活具として持続的に使用できる座部載置型揺動運動具を提供する。【解決手段】床や椅子５の座上に載置する揺動運動具１であって、空気圧調整機能を有する気嚢２と反発圧緩衝マット３とカバーとを有し、前記カバーは一部又は全部が開閉可能であって、前記気嚢２及び前記反発圧緩衝マット３は前記カバー内に着脱自在に重層配置される。マットとカバーの形状は椅子５の座部に適合するよう略方形とする一方、気嚢２については中央を開口した円形で端部に空気栓を備えた医療用円座に類似のものを採用することができる。前記空気栓を介する空気圧の調節により、使用者の運動能力や使用時の状態を考慮した。【選択図】図４
0003198400.tif 000002
【実用新案登録請求の範囲】
【請求項１】
座部載置型の揺動運動具であって、
空気圧調整機能を有する気嚢と、
反発圧緩衝マットと、
前記気嚢及び前記反発圧緩衝マットを重層して収納するカバーと、
を有し、前記カバーは一部又は全部が開閉可能であって、前記気嚢及び前記反発圧緩衝マットは前記カバー内に着脱自在に重層配置されることを特徴とする揺動運動具。
【請求項２】
前記気嚢は中央を開口した円形の形状をなし、空気栓を有し、空気圧の調整が可能であることを特徴とする請求項１に記載の揺動運動具。
【請求項３】
前記カバーは上面布に使用される生地と下面布に使用される生地とが異なる    ことを特徴とする請求項１又は２に記載の揺動運動具。
【考案の詳細な説明】
【技術分野】
【０００１】
本考案は、揺動運動性を付加した座部に関する。
【背景技術】
【０００２】
体幹の筋肉やバランス感覚を養成するための揺動運動具としては、円形又は楕円形の気嚢を揺動体とした運動具や、座部、天板と底板の間をスプリングで固定してバネ作用により揺動運動をする運動具、円座の中央を開口し端部に空気栓を備えた医療用の気嚢等が市販されている。
【先行技術文献】
【特許文献】
【０００３】
【特許文献１】実用新案登録第３１３８８２９号
【特許文献２】実用新案登録第３１４４６７０号
【考案の概要】
【考案が解決しようとする課題】
【０００４】
オフィスワーク、テレビ視聴、電子ゲーム等の長時間着座が健康に及ぼす弊害については、かねてより強く警告されていた。座位においては、一部特定の筋肉の疲労により脊柱や骨盤の支持が困難となり、腰痛や神経痛を引き起こすとされている。また、身体活動の静止によるカロリー消費の低下が肥満、糖尿病、心筋梗塞を誘起するとされている。
【０００５】
上述の問題に対処するには、立位を保持したり、バランスボールを椅子代わりにして不安定な状態を作出し、脊柱を支える筋肉群のバランス運動を促すのが良いとされている。
【０００６】
特許文献１及び２には、座位を不安定にしてバランス運動を促す揺動運動具の考案が開示されている。特許文献１は、クッションとこれを支える天板の下部をボウル状にして、正座姿勢をバランスさせながら姿勢を正すことができるようにした「健康だるま正座」なる運動具が提案されているが、この運動具は実質的に、前述のバランスボールの上にクッションを固定したものに等しく、生活具として長時間使用できるものではない。
【０００７】
特許文献２には、クッションに板を取り付けて土台とし、これを椅子座面の先端の縁に押し当て設置・着座する「椅子用ダイエットクッション」なる運動具が提案されている。該運動具は、椅子座面の縁でクッションが傾く不安定な座上で姿勢を維持することによって生じるカロリー消費効果をうたうが、椅子から脱座しそうな不安定な姿勢での着座は、上述の特許文献１記載の運動具と同様、長続きするものではない。
【０００８】
上述のオフィスワーク、テレビ視聴、電子ゲーム等の長時間着座を通して前記筋肉群の運動状態を保つには、不安定な状態を無意識のうちに持続できる揺動運動具が必要となる。これには、背景技術で述べたような気嚢等の揺動運動具を使用するのが一般的である。該揺動運動具は、基本的に、椅子や床座部に前記バランスボールのような機能を付与しようとするものであるが、これには次のような課題があった。
【０００９】
第一に、前記揺動運動具は、着座の際に生ずる気嚢等の反発に伴う反発圧痛を考慮して開発されていないため、長時間の使用が難しい。すなわち、前記揺動運動具を生活具として使用し、常時座り続けるためには反発圧の緩和が必要となる。このため、実際の生活の中で前期運動具を使用するときには、別途、座布団等の反発圧緩衝材を用意し、これを気嚢等の上に重ねて使用しなければならなかった。しかしながら、適切な反発圧緩衝材の選定は難しいうえ、使用時においては前記反発圧緩衝材と前記気嚢等との重ね合わせがずれるといった問題もあった。
【００１０】
第二に、必要となる揺動運動の程度は年齢や体格等による個人差があるにもかかわらず、市販の運動具は仕様が一律であり、これに重ね合わせて使用する反発圧緩衝材の選定も困難である。このため、個々人の運動能力に合わせた運動具の調節が面倒または出来ないといった問題があった。
【００１１】
上述の問題を踏まえ、本考案においては、反発圧痛を気にせずに、使用者の運動能力に合わせて、生活具として持続的に使用できる座部載置型揺動運動具を提供することを課題とする。
【課題を解決するための手段】
【００１２】
上記課題を解決するために、請求項１記載の揺動運動具は、床や椅子の座上に載置する揺動運動具であって、空気圧調整機能を有する気嚢と反発圧緩衝マットとカバーとを有し、前記カバーは一部又は全部が開閉可能であって、前記気嚢及び前記反発圧緩衝マットは前記カバー内に着脱自在に重層配置されることを特徴とする。
【００１３】
前記気嚢及び前記反発圧緩衝マットの形状は基本的に任意であるが、マットとカバーの形状は椅子の座部に適合するよう略方形とする一方、気嚢については中央を開口した円形で、端部に空気栓を備えた医療用円座に類似のものを採用することができる。前記空気栓を介する空気圧の調節により、使用者の運動能力や使用時の状態を考慮した揺動運動具の提供が可能となる。
【００１４】
カバーについては、座時における触感、ズレの防止、通気性等を考慮し、上面布をサテン生地とする一方、下面布は耐久性のあるメッシュとすることも可能である。
【考案の効果】
【００１５】
本考案により、揺動運動具の基本具である気嚢等について、反発圧緩衝材を別途用意し重ね合わせて使用する必要が無く、また使用時に重ね合わせがずれることを心配することも無く、本具を着座部に載置するだけで、反発圧痛の発症を抑制した運動状態着座を可能とした。
【００１６】
着座部に載置して座布団のように使用しながら、痛みを感ずることなく不安定な状態を無意識に持続できるため、生活具として長時間使用しながら効果的に運動を続けることが可能となった。
【００１７】
気嚢及び反発圧緩衝マットは各々がカバー内に着脱自在に収納できる構成になっているため、気嚢・マット、カバーの選択及び組合せにより需要者の使用目的や運動能力のレベルに応じたバリエーションの商品開発が可能となった。また、需要者にとっても、気嚢・マット、カバーを別々に購入する等の選択が可能となったため、自分の運動能力に合った運動具を入手することができるようになった。
【図面の簡単な説明】
【００１８】
【図１】本実施形態の気嚢の（Ａ）平面図、及び（Ｂ）正面図である。
【図２】本実施形態の反発圧緩衝マットの（Ａ）平面図、及び（Ｂ）正面図である。
【図３】本実施形態の揺動運動具の垂直断面図である。
【図４】本実施形態の揺動運動具を椅子の座部に載置しファスナーを開いた状態の写真である。
【図５】部品の位置関係を示す拡大写真である。
【考案を実施するための形態】
【００１９】
以下、本考案の実施形態を図を用いて説明する。
【００２０】
図１乃至５に示すように、本実施形態に係る揺動運動具１は、平面図の形状が、円形の気嚢２、方形の反発圧緩衝マット３及び同じく方形のカバー４によって構成される。
【００２１】
気嚢２はドーナッツ型の空気袋で、外縁部に空気栓２１を備え、使用者の体力に合わせた空気圧の調節が可能となっている（図１）。反発圧緩衝マット３は材料に発泡天然ゴムを使用した方形のマットで、鉛直方向に多数の空気孔３１を有し緩衝効果を高める構造となっている（図２）。寸法については、本実施形態では平均的な大人の使用を想定し、気嚢２の直径を３８．５ｃｍ、反発圧緩衝マット３の１辺を４０ｃｍ、厚さは４ｃｍとした。
【００２２】
カバー４については、耐久性のあるポリエステルを素材とし、上面と下面の布生地を異質とした。すなわち、上面布４１には触感と光沢美に優れたサテン生地を使用し、下面布４２にはズレの防止と通気性を考慮したダブルラッセルメッシュを使用している。また、取出し口については、方形の一辺全長にファスナー４３を設置した（図４及び５）。
【００２３】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。特に、請求項１記載の揺動運動具は、気嚢、マット又はカバーの形状・材質について様々な実施形態が可能であり、これら、本実施形態と異なる形態での実施についても、本考案の技術的範囲に含まれるものと解する。
【符号の説明】
【００２４】
１    揺動運動具
２    気嚢
２１  空気栓
３    反発圧緩衝マット
３１  空気孔
４    カバー
４１  上面布（ポリエステル製サテン）
４２  下面布（ポリエステル製ダブルラッセルメッシュ）
４３  ファスナー                                       
５    椅子
【図１】
0003198400.tif 000003
【図２】
0003198400.tif 000004
【図３】
0003198400.tif 000005
【図４】
0003198400.tif 000006
【図５】
0003198400.tif 000007